(57)【要約】【課題】シート基材に厚紙を使用した場合であっても開封が容易であり、保管しておく形態も良好で、製造しやすい折畳み封緘シートを提供する。【解決手段】折畳み封緘シート１０は、情報片１２、裏表紙１３及び表表紙１４が折り線１５を介して連接され、折畳まれて内部に配置される始端側Ｓの情報片１２から終端側Ｅの表表紙１４までが順に巻き折りされるシート基材１１と、巻き折りされたシート基材１１の終端付近を剥離不可能に封緘する封緘糊１６と、折り線１５と平行に、表表紙１４の天辺から地辺までに設けられ、この折畳み封緘シート１０を開封する開封用ジッパーミシン１７と、折り線１５と平行に、裏表紙１３の天辺から地辺までに設けられた分離用ミシン１８と、裏表紙１３及び表表紙１４の内面の２箇所に設けられ、封入物２０を仮留めする仮留め糊１９と、商品サンプルや、クーポン券、申込みハガキなど封入物２０などとを備える。【選択図】図１
2006044080.tif 000002
【特許請求の範囲】
【請求項１】
少なくとも１つの情報片、裏表紙及び表表紙が折り線を介して連接され、折畳まれて内部に配置される始端側の前記情報片から終端側の前記表表紙までが順に巻き折りされるシート基材と、
巻き折りされた前記シート基材の終端付近を剥離不可能に封緘する封緘手段と、
前記表表紙又は前記裏表紙の天辺から地辺までに設けられ、この折畳み封緘シートを開封する開封予定線と、
前記開封予定線が設けられている表紙とは逆の表紙の天辺から地辺までに設けられた分離予定線とを備え、
前記開封予定線を用いて開封した後に、前記分離予定線を用いて前記開封予定線から前記分離予定線までの部分を分離することによって、前記情報片を含む部分と前記情報片を含まない部分とに分離すること、
を特徴とする折畳み封緘シート。
【請求項２】
請求項１に記載の折畳み封緘シートにおいて、
前記シート基材の内面に設けられ、封入物を仮留めする仮留め部を備えること、
を特徴とする折畳み封緘シート。
【請求項３】
請求項１又は請求項２に記載の折畳み封緘シートにおいて、
前記シート基材の天地付近の一部又は全部に設けられ、巻き折りされた前記シート基材の天地付近を剥離可能に封緘する仮封緘手段を備えること、
を特徴とする折畳み封緘シート。
【請求項４】
請求項２又は請求項３に記載の折畳み封緘シートにおいて、
前記シート基材の内面及び／又は外面であって、少なくとも前記仮留め部付近を含む位置に設けられ、外部からの衝撃を緩和する衝撃緩和手段を備えること、
を特徴とする折畳み封緘シート。
【請求項５】
請求項１から請求項４までのいずれか１項に記載の折畳み封緘シートにおいて、
前記開封予定線及び前記分離予定線は、前記シート基材が巻き折りされたときに、巻き折りされた前記情報片の巻き折り方向の前方に位置する端部の両脇に、それぞれ配置されていること、
を特徴とする折畳み封緘シート。
【発明の詳細な説明】
【技術分野】
【０００１】
本発明は、広告物やＤＭ（ダイレクトメール）などに好適な折畳み封緘シートに関するものである。
【背景技術】
【０００２】
従来、この種の折畳み封緘シートは、広告物やＤＭなどに利用されており、例えば、シート基材の天地部分に糊を塗布して巻き折りし、封入物を封入して、終端部を糊で封緘する形態の封書なども実用化されている。
【０００３】
この封書は、開封時には、一面に広げて見わたせる利点があるが、見終わった後は、再び巻き折りして保管しなくてはならず、ハンドリング（取り扱い）性、携帯性、保管のしやすさなどに問題があった。
【０００４】
この問題を解決するために、特許文献１は、あらかじめ設けられたミシン目で開封することによって、冊子とチラシとに分離する封書用シートを提案している。
また、特許文献２は、シート基材をジグザグ状に重ねて折畳み、ジグザグ部分の一部をミシン目で切り取ることによって、ジグザグ状のチラシと１枚もののチラシとに分離する封書用シートを開示している。
【０００５】
しかし、いずれの封書用シートも、開封時には、複数のシート基材をまとめて切る必要があるため、切りづらく、しかも、シート基材に厚紙を用いた場合には、一層、切りづらいという問題があった。
また、ジグザグ折りで製造する場合には、シート基材の表裏に糊を塗布する必要があるため、製造工程が複雑化し、製造装置も大型化してしまう可能性があった。
【０００６】
そこで、ミシン目のカット／アンカットの比率を変えて開封性を高めることも考えられるが、その場合には、送付途中にミシン目が破れてしまう恐れもあった。
【特許文献１】特開２００３−２５１９６６号公報
【特許文献２】特開２００１−４８１９０号公報
【発明の開示】
【発明が解決しようとする課題】
【０００７】
本発明の課題は、シート基材に厚紙を使用した場合であっても開封が容易であり、保管しておく形態も良好で、製造しやすい折畳み封緘シートを提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、少なくとも１つの情報片（１２）、裏表紙（１３）及び表表紙（１４）が折り線（１５）を介して連接され、折畳まれて内部に配置される始端側（Ｓ）の前記情報片（１２）から終端側（Ｅ）の前記表表紙（１４）までが順に巻き折りされるシート基材（１１）と、巻き折りされた前記シート基材（１１）の終端付近を剥離不可能に封緘する封緘手段（１６）と、前記表表紙（１４）又は前記裏表紙（１３）の天辺から地辺までに設けられ、この折畳み封緘シートを開封する開封予定線（１７）と、前記開封予定線（１７）が設けられている表紙とは逆の表紙の天辺から地辺までに設けられた分離予定線（１８）とを備え、前記開封予定線（１７）を用いて開封した後に、前記分離予定線（１８）を用いて前記開封予定線（１７）から前記分離予定線（１８）までの部分を分離することによって、前記情報片（１２）を含む部分と前記情報片（１２）を含まない部分とに分離すること、を特徴とする折畳み封緘シートである。
【０００９】
請求項２の発明は、請求項１に記載の折畳み封緘シートにおいて、前記シート基材（１１）の内面に設けられ、封入物（２０）を仮留めする仮留め部（１９）を備えること、を特徴とする折畳み封緘シートである。
【００１０】
請求項３の発明は、請求項１又は請求項２に記載の折畳み封緘シートにおいて、前記シート基材（１１Ａ）の天地付近の一部又は全部に設けられ、巻き折りされた前記シート基材（１１Ａ）の天地付近を剥離可能に封緘する仮封緘手段（２１）を備えること、を特徴とする折畳み封緘シートである。
【００１１】
請求項４の発明は、請求項２又は請求項３に記載の折畳み封緘シートにおいて、前記シート基材（１１Ｂ）の内面及び／又は外面であって、少なくとも前記仮留め部（１９）付近を含む位置に設けられ、外部からの衝撃を緩和する衝撃緩和手段を備えること、を特徴とする折畳み封緘シートである。
【００１２】
請求項５の発明は、請求項１から請求項４までのいずれか１項に記載の折畳み封緘シートにおいて、前記開封予定線（１７）及び前記分離予定線（１８）は、前記シート基材（１１Ａ）が巻き折りされたときに、巻き折りされた前記情報片（１２）の巻き折り方向の前方に位置する端部（Ａ）の両脇に、それぞれ配置されていること、を特徴とする折畳み封緘シートである。
【発明の効果】
【００１３】
本発明によれば、以下のような効果がある。
（１）開封予定線で開封した後に、分離予定線で分離するので、開封と分離が別のタイミングとなり、シート基材に厚紙を使用した場合であっても、容易に開封することができる。
（２）１枚のシート基材から、情報片を含む部分と情報片を含まない部分とに分離するので、製造段階では、両者を同時に印刷することができ、例えば、両者が異種の広告物である場合や、両者にパーソナル情報がある場合には、組み合わせのマッチングミスをなくすことができる。
【００１４】
（３）開封後は、情報片を含む部分（例えば、冊子状の広告物）と情報片を含まない部分（例えば、リーフレット）との２つに分離するので、ハンドリング性や携帯性に優れる。
（４）シート基材を巻き折りして折畳み封緘シートを作製するので、製造工程が簡略化し、製造装置も小型化することができる。
【００１５】
（５）外部からの衝撃を緩和する衝撃緩和手段を備えるので、商品サンプルなどの封入物を包んで保護することができ、また、この衝撃緩和手段によって、シート基材の厚みが増してしまう可能性もあるが、そのような場合であっても、開封と分離が別のタイミングであるので、問題なく開封することができる。
【発明を実施するための最良の形態】
【００１６】
本発明は、シート基材に厚紙を使用した場合であっても開封が容易であり、保管しておく形態も良好で、製造しやすい折畳み封緘シートを提供するという目的を、表表紙に開封用ジッパーミシンを設け、裏表紙に分離用ミシンを設けたシート基材を巻き折りして封緘し、開封用ジッパーミシンで開封した後に、分離用ミシンで冊子状の広告物と２つ折りのリーフレットに分離することにより実現する。
【実施例１】
【００１７】
以下、図面等を参照して、本発明の実施例について、さらに詳しく説明する。
図１は、本発明による折畳み封緘シートの実施例１を示す図である。
実施例１の折畳み封緘シート１０は、シート基材１１と、封緘糊（封緘手段）１６と、開封用ジッパーミシン（開封予定線）１７と、分離用ミシン（分離予定線）１８と、仮留め糊（仮留め部）１９と、封入物２０などとを備える。
【００１８】
シート基材１１は、情報片１２、裏表紙１３及び表表紙１４が折り線１５を介して連接され、折畳まれて内部に配置される始端側Ｓの情報片１２から終端側Ｅの表表紙１４までが順に巻き折りされるシートであり、商品広告情報や商品の申込み記入欄、キャンペーン告知などが掲載されている。
また、裏表紙１３の幅方向の長さは、表表紙１４の幅方向の長さと略同じであり、情報片１２の幅方向の長さは、裏表紙１３や表表紙１４よりも短い。
【００１９】
封緘糊１６は、表表紙１４の右端部付近に設けられ、巻き折りされたシート基材１１の終端付近を剥離不可能に封緘する糊である。
【００２０】
開封用ジッパーミシン１７は、折り線１５と平行に、表表紙１４の天辺から地辺までに設けられ、この折畳み封緘シート１０を開封する２本のミシン目である。
【００２１】
分離用ミシン１８は、折り線１５と平行に、裏表紙１３の天辺から地辺までに設けられたミシン目である。
【００２２】
仮留め糊１９は、裏表紙１３及び表表紙１４の内面の２箇所に設けられ、封入物２０を仮留めする糊である。
【００２３】
封入物２０は、この折畳み封緘シート１０に封入するものであり、例えば、商品サンプルや、クーポン券、申込みハガキなどである（図１（Ｂ））。
【００２４】
次に、実施例１による折畳み封緘シート１０の製造方法及び使用方法を説明する。
（製造方法）
まず、図１（Ａ）に示すように、シート基材１１を用意し、開封用ジッパーミシン１７及び分離用ミシン１８を切り込み、封緘糊１６及び仮留め糊１９を塗布する。
ついで、図１（Ｂ）に示すように、封入物２０を仮留め糊１９で仮留めする。
さらに、図１（Ｃ）に示すように、情報片１２を内側に折畳み、図１（Ｄ）に示すように、裏表紙１３の上に重ねる。
そして、図１（Ｅ）に示すように、表表紙１４を内側に折畳み、図１（Ｆ）に示すように、情報片１２の上に重ね、封緘糊１６で封緘する。
このようにして、折畳み封緘シート１０が完成したら、新聞折り込みや、店頭・街頭配布などによって生活者に届けられる。
【００２５】
（使用方法）
折畳み封緘シート１０を受け取った生活者は、まず、図１（Ｇ）に示すように、開封用ジッパーミシン１７を用いて開封する。
ついで、図１（Ｈ）に示すように、折畳み封緘シート１０を見開き状態にする。
さらに、図１（Ｉ）に示すように、分離用ミシン１８を用いて、開封用ジッパーミシン１７から分離用ミシン１８までの部分を分離し、６ページ相当の冊子状の広告物（情報片を含む部分）と、２つ折りのリーフレット（情報片を含まない部分）とに分離する。
そして、図１（Ｊ）に示すように、広告物やリーフレットに仮留めされている封入物２０を確認する。
【００２６】
このように、実施例１によれば、以下のような効果がある。
（１）開封用ジッパーミシン１７で開封した後に、分離用ミシン１８で広告物とリーフレットとに分離するので、開封と分離が別のタイミングとなり、シート基材１１の連量によらず、例えば、シート基材１１に厚紙を使用した場合であっても、小さな力で開封して分離することができる。
（２）連接する３片のワンピース（１枚のシート基材１１）から、広告物とリーフレットとに分離するので、両者を別々に製造して同封する場合と比較して、組み合わせのマッチングミスをなくすことができる。
【００２７】
（３）開封後は、広告物とリーフレットとに分離するので、ハンドリング性や携帯性に優れ、すぐに捨てられることはなく、長く生活者の手元に留めてもらいたいと思う送り手側の要望を満たすことができる。
（４）生活者は、開封後には、商品サンプルが貼付された広告物と、クーポン券が貼付されたリーフレットとを別々に活用できる。
【００２８】
（５）シート基材１１を巻き折りして折畳み封緘シート１０を作製するので、製造工程が簡略化し、製造装置もコンパクトにできるという利点がある。
（６）広告物とリーフレットとに分離できるので、内容の異なる情報の掲載が可能であり、業種の異なる企業のタイアップＤＭなどに有効である。
【実施例２】
【００２９】
図２は、本発明による折畳み封緘シートの実施例２を示す図である。
なお、前述した実施例１と同様な機能を果たす部分には、同一の符号又は末尾に統一した符号を付して、重複する説明や図面を適宜省略する。
実施例２の折畳み封緘シート１０Ａは、実施例１の折畳み封緘シート１０と異なり、天地封緘タイプであり、かつ、インデックスタイプである。
【００３０】
裏表紙１３及び表表紙１４の天地付近（開封用ジッパーミシン１７の間は除く）には、巻き折りされたシート基材１１Ａの天地付近を剥離可能に封緘する剥離糊（仮封緘手段）２１が塗布されている。
【００３１】
また、シート基材１１Ａの各片の長さは、以下の通りである。
情報片１２の幅方向の長さ＝ａ
裏表紙１３及び表表紙１４の幅方向の長さ＝ｂ（ａ＜ｂ）
開封用ジッパーミシン１７の幅方向の長さ＝ｘ
裏表紙１３の左の折り線１５から分離用ミシン１８までの長さ＝ａ＋ｘ
開封用ジッパーミシン１７の右端から表表紙１４の右端までの長さ＝ａ−ｘ
【００３２】
したがって、このシート基材１１Ａを巻き折りすると、図２（Ｂ）に示すように、分離用ミシン１８は、巻き折りされた情報片１２の巻き折り方向の前方に位置する端部Ａよりも右側に配置され、図２（Ｃ）に示すように、開封用ジッパーミシン１７は、端部Ａよりも左側に配置される。
最終的には、開封用ジッパーミシン１７及び分離用ミシン１８は、端部Ａの両脇に、かつ、その端部Ａを中心として対称に、一定距離ｘ離れたところに配置される。
【００３３】
そして、開封用ジッパーミシン１７を用いて開封し、分離用ミシン１８を用いて分離すると、図２（Ｄ）に示すように、各ページの長さが、ｘずれたインデックス部を有する冊子と２つ折りシートとが現れる。
【００３４】
このように、実施例２によれば、天地部分も封緘しているので、封入物２０が不用意に脱落することを防止でき、また、パーソナル性の高い内容が印刷されている場合には、隠蔽性を確保することができ、開封の楽しみや、期待感をもたせる効果が生まれ、封書として送付したり、ポスティングなどの用途に使用することができる。
【００３５】
また、インデックス部を設けることで、検索面での利便性やデザイン性が向上し、より見やすい広告情報や、訴求効果の高い冊子、リーフレットなどを生活者に提供できる。
【実施例３】
【００３６】
図３は、本発明による折畳み封緘シートの実施例３を示す図である。
実施例３の折畳み封緘シート１０Ｂは、封入物保護タイプであり、シート基材１１Ｂの内面の仮留め糊１９付近を含む位置に、熱により膨張し、外部からの衝撃を緩和する緩衝性を有する発泡層（衝撃緩和手段）が設けられている。
【００３７】
発泡層に用いる材料は、紙カップに用いられるポリエチレン系の材料や、床材や壁装材に用いられる熱可塑性樹脂系（アゾジカルボンアミド系発泡剤）、水性エマルジョン系材料（カプセル型発泡剤）などであり、これらの材料を印刷技術やコーティング技術でシート基材１１Ｂに塗布し、熱を加えて発泡させる。
【００３８】
シート基材１１Ｂの内面の全面に発泡層を設ける場合には、図３（Ａ）に示すように、ロール１００に巻き取られたシート基材１１Ｂに、コーティング装置２００で発泡層用の材料を塗布し、その後に、裁断装置３００で所定の大きさにカットする。
【００３９】
シート基材１１Ｂの内面の一部に発泡層を設ける場合には、図３（Ｂ）に示すように、所定の大きさにカットされているシート基材１１Ｂを不図示の搬送装置で搬送しながら、じか刷り方式やオフセット方式などの輪転機４００で発泡層用の材料を塗布する。
【００４０】
そして、図３（Ｃ）に示すように、仮留め糊１９に封入物２０を仮留めし、封緘してから、加熱装置５００で熱を加え、発泡層を発泡させる。
【００４１】
このように、実施例３によれば、折畳み封緘シート１０Ｂの内面に発泡層を設けたので、商品サンプルなどの封入物２０を包んで保護することができ、例えば、ＣＤ−ＲＯＭやＤＶＤのように内容物が壊れやすいものであっても、封入することができる。
また、この発泡層を設けたことによって、シート基材１１Ｂの厚みが増してしまうが、開封と分離が別のタイミングであるので、問題なく開封することができる。
【００４２】
（変形例）
以上説明した実施例に限定されることなく、種々の変形や変更が可能であって、それらも本発明の均等の範囲内である。
（１）情報片１２は、１片の例で説明したが、２片以上の片を連接してもよい。
（２）開封用ジッパーミシン１７は、表表紙１４に、分離用ミシン１８は、裏表紙１３に、それぞれ設ける例で説明したが、逆に設けてもよい。
【００４３】
（３）実施例３では、封緘した後に発泡させる例で説明したが、封入物２０によっては、発泡させてから封緘してもよい。
（４）実施例３では、シート基材１１Ｂへの各種情報の印刷は、発泡層の透明度などに応じて、発泡層用の材料の塗布前に印刷したり、塗布後に印刷したりしてもよい。
【図面の簡単な説明】
【００４４】
【図１】本発明による折畳み封緘シートの実施例１を示す図である。
【図２】本発明による折畳み封緘シートの実施例２を示す図である。
【図３】本発明による折畳み封緘シートの実施例３を示す図である。
【符号の説明】
【００４５】
１０、１０Ａ、１０Ｂ  折畳み封緘シート
１１、１１Ａ、１１Ｂ  シート基材
１２  情報片
１３  裏表紙
１４  表表紙
１５  折り線
１６  封緘糊
１７  開封用ジッパーミシン
１８  分離用ミシン
１９  仮留め糊
２０  封入物
２１  剥離糊
１００  ロール
２００  コーティング装置
３００  裁断装置
４００  輪転機
５００  加熱装置
Ｓ  始端側
Ｅ  終端側
Ａ  端部
【図１】
2006044080.tif 000003
【図２】
2006044080.tif 000004
【図３】
2006044080.tif 000005